(57)【要約】【課題】浮き出し織目模様のずれや崩れが生じ難く、指や手が触れるかばん類や袋物の皮革代替材料にも用いることができる水引織物の提供。【解決手段】水引織物の製法は、緯糸として水引１を、経糸として通常の繊維製糸２をそれぞれ用いて織り込んで成り、水引１としては、紙を撚って形成した紙撚り線１ａと、この紙撚り線１ａに沿って螺旋状に巻き付けて巻きピッチ内に繊維製糸２を係止する螺旋溝Ｇを形成する巻線１ｂとを有するものである。【選択図】図１
2009084752.tif 000002
【特許請求の範囲】
【請求項１】
緯糸として水引を、経糸として通常の繊維製糸をそれぞれ用いて織り込んで成り、前記水引としては、紙を撚って形成した紙撚り線と、この紙撚り線に沿って螺旋状に巻き付けて巻きピッチ内に前記繊維製糸を係止する凹凸表面を形成する巻線と、を有するものであることを特徴とする水引織物。
【請求項２】
請求項１に記載の水引織物において、前記巻線は前記紙撚り線に貼着されていることを特徴とする水引織物。
【請求項３】
請求項１又は請求項２に記載の水引織物において、前記水引としては途中に予め結び飾りを持つものも用いて成ることを特徴とする水引織物。
【請求項４】
請求項１乃至請求項３のいずれか一項に規定する水引織物を皮革代替材料として用いて成ることを特徴とするかばん類。
【請求項５】
請求項１乃至請求項３のいずれか一項に規定する水引織物を皮革代替材料として用いて成ることを特徴とする袋物。
【発明の詳細な説明】
【技術分野】
【０００１】
本発明は、水引を緯糸として用いた水引織物に関し、特に、かばん類や袋物の皮革代替材料にも用いることが好適な水引織物に関する。
【背景技術】
【０００２】
紙を撚って形成した紙撚り線である「水引」は折れ難く適度な撓み剛性を有するため、淡路結びなどの優美な湾曲線を具える「結び飾り」を作製するに適した線材として伝統的に用いられて来た。本件出願人は、この水引の新たな用途を開発し、先に特公平２−４４９３８号を以って「水引織物の製法」を開示した。その水引織物は、緯糸として水引を、経糸として通常の繊維製糸をそれぞれ用いて織り込んだものであり、いわば、すだれ状のシート状物であることから、壁掛け、暖簾、敷物として、また名刺入れ、財布やハンドバッグなどのかばん類・袋物の皮革代替材として広く用いることができる。
【特許文献１】特公平２−４４９３８号（第１図）
【発明の開示】
【発明が解決しようとする課題】
【０００３】
この水引織物において、緯糸としての水引はその剛性の故に繊維製糸の経糸毎に対応したミクロ的なジグザグ屈曲がなく、ほぼ真直状が保持されているため、経糸としての繊維製糸が表裏に浮き出し織目模様として現れたものとなっている。このため、この水引織物を例えば財布の皮革代替材料として用いた場合、その浮き出し織目模様の如何により特有な手触り感をも楽しむことができる。しかしながら、緯糸としての水引には経糸毎に対応したジグザグ屈曲がない分、浮き出し織目模様のずれや崩れが生じ易く、指や手が触れるかばん類や袋物の皮革代替材料に用いるには十分ではない。
【０００４】
そこで、上記問題点に鑑み、本発明の課題は、浮き出し織目模様のずれや崩れが生じ難く、指や手が触れるかばん類や袋物の皮革代替材料にも用いることができる水引織物を提供することにある。
【課題を解決するための手段】
【０００５】
上記課題を解決するため、本発明に係る水引織物は、緯糸として水引を、経糸として通常の繊維製糸をそれぞれ用いて織り込んで成り、水引としては、紙を撚って形成した紙撚り線と、この紙撚り線に沿って螺旋状に巻き付けて巻きピッチ内に繊維製糸を係止する凹凸表面を形成する巻線と、を有するものであることを特徴とする。
【０００６】
経糸としての通常繊維製糸が緯糸としての水引の凹凸表面に係り止まっているため、通常繊維製糸による浮き出し網目模様が水引に沿ってずれたり崩れたりするのを抑制できる。従って、この水引織物を指や手が触れるかばん類や袋物の皮革代替材料にも実用的に用いることができる。加えて、この水引織物の機織工程において、経糸としての繊維製糸を新たに張り加えて寄せ詰め作業をする際、その戻りが凹凸表面で抑制されるため、精緻な織目模様も、また経糸としての繊維製糸の隣接間隔を空けて折り込んだ透かし水引織物の作製も可能となり、高品質の水引織物を提供できる。
【０００７】
巻線は密巻きでも巻きピッチ毎に空き間を設けた非密巻きでも構わないが、非密巻きの場合には、巻線自体が紙撚り線方向にややずれる恐れがあるため、巻線は紙撚り線に貼着されていることが望ましい。これにより、通常繊維製糸による浮き出し網目模様のずれや崩れを一層のこと抑制できる。
【０００８】
水引織物の製法において、水引として途中に予め結び飾りを形成して成るものを用いることができる。手や指などで結び飾りが引っ張られたりした場合でも、予め結び飾りの形成された水引が多数本の繊維製糸に織り込まれており、しかも、水引の凹凸表面が経糸としての繊維製糸に係り止まっているため、結び飾りのある水引が引き出されることがなく、更に、巻線により水引の断線耐力が高くなっているので、結び飾りの基部が切れてしまうことがない。換言すれば、巻線で補強された水引に繊維製糸を係止する凹凸表面が確実に存在しているため、丈夫な結び飾りを持つ水引織物を実用的に提供できる。この結び飾りを持つ水引織物は、結び飾りが色紙や写真などの角を差し入れ保持する支持部分としても機能するので、壁掛けなどに好適である。
【発明の効果】
【０００９】
本発明は、浮き出し織目模様のずれや崩れが生じ難く、指や手が触れるかばん類や袋物の皮革代替材料にも用いることができる水引織物を提供できる。
【発明を実施するための最良の形態】
【００１０】
次の本発明の実施例を添付図面に基づいて説明する。
【００１１】
（実施例１）
図１は本発明の実施例１に係る水引織物を拡大して示す平面図である。
【００１２】
本例の水引織物の製法は、従前通り、機織で予め並行して張り渡す多数本の緯糸（縦糸）として水引１を、機織中に逐次追加して張り渡す経糸（横糸）として通常の繊維製糸２をそれぞれ用いて織り込んで成る。水引１としては、和紙を撚って形成した紙撚り線（通常の水引）１ａと、この紙撚り線１ａに沿って螺旋状に巻き付けて巻きピッチ内に繊維製糸２を係止する螺旋溝Ｇを形成する巻線（細糸）１ｂとを有して成る。この巻線１ｂの巻きピッチが狭い場合、例えば密巻きの場合は、螺旋溝Ｇが幅狭で浅くなるものの、隣接複数箇所の螺旋溝Ｇが１本の繊維製糸２に当る。本例では非密巻きとしてあり、１本の繊維製糸２に１対１で螺旋溝Ｇが当るようになっており、巻線１ｂは紙撚り線１ａに予め貼着されている。なお、水引１の線径は約１ｍｍ、繊維製糸２の線径は水引１のそれの約半分、約０．５ｍｍとなっている。通常の繊維製糸２としては、綿，ナイロンなど任意の天然繊維，合成繊維よりなるものを使用できる。
【００１３】
このように、経糸としての繊維製糸２が緯糸としての水引１の螺旋溝Ｇに係り止まっているため、繊維製糸２による浮き出し網目模様Ｗが水引１に沿ってずれたり崩れたりするのを抑制できる。従って、この水引織物を指や手が触れるかばん類や袋物の皮革代替材料にも実用的に用いることができる。
【００１４】
また、この水引織物の機織工程において、経糸としての繊維製糸２を新たに張り加えて寄せ詰め作業をする際、その戻りが螺旋溝Ｇで抑制されるため、精緻な織目模様の作製も可能となり、高品質の水引織物を提供できる。更に、巻線１ｂは紙撚り線１ａに貼着されているため、巻線１ｂ自体が紙撚り線１ａの方向にややずれるのを防ぐことができ、繊維製糸２による浮き出し網目模様Ｗのずれや崩れを一層のこと抑制できる。
【００１５】
（実施例２）
図２は本発明の実施例２に係る水引織物を拡大して示す平面図である。
【００１６】
本例の水引織物の製法も、緯糸として水引１′，１″を、経糸として通常の繊維製糸２をそれぞれ用いて織り込んで成る。水引１′，１″としては、和紙を撚って形成した紙撚り線（通常の水引）１ａと、この紙撚り線１ａに沿って螺旋状に密巻きして巻きピッチ内に繊維製糸２を係止する螺旋溝ｇを形成する巻線（細糸）１ｂ′とを有して成る。本例では複数本の水引１′のうち任意の水引１″は結び飾りとして代表的な淡路結びＮを予め持つものを使用している。また、隣接２本の繊維製糸２は経糸１本分の透かしＥをあけて緯糸としての水引１′，１″に表裏交互に織り込まれており、市松状の浮き出し網目模様ｗが現れている。
【００１７】
本例における螺旋溝ｇは実施例１の螺旋溝Ｇに比して幅狭で浅くなっているが、その分、複数の螺旋溝ｇが繊維製糸２に当って係止しており、実施例１と同様な効果を奏する。また、透かしＥ水引織物の作製も可能となり、高品質の水引織物を提供できる
本例の淡路結びＮを持つ水引織物においては、手や指などで淡路結びＮが引っ張られたりした場合でも、淡路結びＮを予め形成してある水引１″が多数本の繊維製糸２に織り込まれており、しかも、水引１″の螺旋溝ｇが繊維製糸２に係り止まっているため、淡路結びＮのある水引１″が引き出されることがなく、更に、巻線１ｂ′により水引１″の断線耐力が高くなっているので、淡路結びＮの基部Ｂが切れてしまうことがない。換言すれば、巻線１ｂ′で補強された水引１′，１″に繊維製糸２を係止する螺旋溝ｇが確実に存在しているため、丈夫な淡路結びＮを持つ水引織物を実用的に提供できる。
【００１８】
なお、この淡路結びＮを持つ水引織物は、淡路結びＮが色紙や写真などの角を差し入れ保持する支持部分としても機能するので、壁掛けなどに用いることも可能である。
【図面の簡単な説明】
【００１９】
【図１】本発明の実施例１に係る水引織物を拡大して示す平面図である。
【図２】本発明の実施例２に係る水引織物を拡大して示す平面図である。
【符号の説明】
【００２０】
１，１′…水引
１″…淡路結びを持つ水引
１ａ…和紙を撚って形成した紙撚り線（通常の水引）
１ｂ，１ｂ′…巻線（細糸）
２…通常の繊維製糸
Ｂ…基部
Ｅ…透かし
Ｇ，ｇ…螺旋溝
Ｎ…淡路結び
Ｗ，ｗ…浮き出し網目模様
【図１】
2009084752.tif 000003
【図２】
2009084752.tif 000004